(57)【要約】【課題】良好な装着感を有するとともに、吸収性本体の交換が容易なパンツ型使い捨ておむつを提供する。【解決手段】本発明のパンツ型使い捨ておむつ１は、前身頃２、股下部４及び後身頃６の各部を形成する外装部材１６と、吸収体２２、トップシート１８、及びバックシート２０を有する吸収性本体１４とを備え、吸収性本体１４は、外装部材１６の少なくとも股下部４に取り外し可能な状態で結合されており、吸収性本体１４と外装部材１６との結合部２３が、吸収性本体１４の長手方向の少なくとも両端部に形成されているとともに、吸収性本体１４の長手方向の中央部の両側縁は外装部材１６と結合されておらず、且つこの両側縁から吸収性本体１４の幅方向中央部に向かって、吸収性本体１４と外装部材１６との間に非結合部２４が形成され、その非結合部２４に手を差し入れることができるように構成されている。【選択図】図２
2008104503.tif 000002
【特許請求の範囲】
【請求項１】
前身頃、股下部及び後身頃の各部から構成され、前記前身頃と前記後身頃の対応する側縁部同士が接合されて、一つのウエスト周り開口部及び一対の脚周り開口部が形成されたパンツ型使い捨ておむつであって、
外装部材と、吸収性本体とを備え、
前記外装部材は、前記前身頃、前記股下部及び前記後身頃の各部を形成するものであり、
前記吸収性本体は、排泄物吸収用の吸収体と、前記吸収体の表面を被覆するように配置された、少なくとも一部が液透過性材料からなるトップシートと、前記吸収体の裏面を被覆するように配置されたバックシートとを有するものであり、
前記吸収性本体は、前記外装部材の少なくとも前記股下部に取り外し可能な状態で結合されており、
前記吸収性本体と前記外装部材との結合部が、前記吸収性本体の長手方向の少なくとも両端部に形成されているとともに、前記吸収性本体の前記長手方向の中央部の両側縁は前記外装部材と結合されておらず、且つこの前記両側縁から前記吸収性本体の幅方向中央部に向かって、前記吸収性本体と前記外装部材との間に非結合部が形成され、その前記非結合部に手を差し入れることができるように構成されているパンツ型使い捨ておむつ。
【請求項２】
前記吸収性本体と前記外装部材との接触面積に対する、前記吸収性本体と前記外装部材との前記結合部の面積の割合が、１５〜８０％である請求項１に記載のパンツ型使い捨ておむつ。
【請求項３】
前記吸収性本体の前記長手方向の長さに対する、前記吸収性本体の各側縁における結合されていない部分の長さの割合が、２０〜８０％である請求項１又は２に記載のパンツ型使い捨ておむつ。
【請求項４】
前記外装部材は、前記前身頃、前記股下部及び前記後身頃の各部を形成する不織布からなる外装体と、前記外装体の内面に配置された液不透過性材料からなる液不透過性シートとから構成され、
前記吸収性本体は、前記液不透過性シートに取り外し可能な状態で結合されている請求項１〜３のいずれか一項に記載のパンツ型使い捨ておむつ。
【請求項５】
前記吸収性本体は、その両側縁に沿って、一対の吸収性本体用立体ギャザーが付設されたものである請求項１〜４のいずれか一項に記載のパンツ型使い捨ておむつ。
【請求項６】
前記外装部材は、少なくとも前記股下部の前記一対の脚周り開口部の間の領域に、一対の外装部材用立体ギャザーが付設されたものである請求項１〜５のいずれか一項に記載のパンツ型使い捨ておむつ。
【請求項７】
前記外装部材は、少なくとも前記股下部の前記一対の脚周り開口部の間の領域に、伸縮性素材からなる伸縮材が付設されたものであり、
前記伸縮材は、前記前身頃側から前記後身頃側にかけて伸長状態で付設されている請求項１〜６のいずれか一項に記載のパンツ型使い捨ておむつ。
【発明の詳細な説明】
【技術分野】
【０００１】
本発明は、パンツ型使い捨ておむつに関する。更に詳しくは、一つのウエスト周り開口部と一対の脚周り開口部が形成され、パンツ型に構成され、吸収性本体が取り外し可能なパンツ型使い捨ておむつに関する。
【背景技術】
【０００２】
パンツ型使い捨ておむつとは、例えば、図２１に示すパンツ型使い捨ておむつ１２０のように、前身頃２、股下部４及び後身頃６の各部から構成され、前身頃２と後身頃６の対応する側縁部同士が接合されて、一つのウエスト周り開口部１０と一対の脚周り開口部１２（１２ａ，１２ｂ）が形成された使い捨てのおむつである。このようなパンツ型使い捨ておむつにおいては、ウエスト周り開口部１０と脚周り開口部１２（１２ａ，１２ｂ）に沿って、糸ゴム等の伸縮材（例えば、ウエスト周り伸縮材４２、脚周り伸縮材４０、腹周り伸縮材４４）を配置する構成が一般的である（例えば、特許文献１参照）。
【０００３】
パンツ型使い捨ておむつは、布製のパンツを履かせるのと同様の手順で着用者に装着させることができるため、短時間でおむつの交換を行うことができることに加え、着用者を立たせたままでおむつの交換を行うこともできる。また、テープ型おむつのように、固定テープによってウエスト周り寸法を調節する必要がなく、おむつの交換が容易であるという利点をも有するものである。
【０００４】
ところで、成人用の使い捨ておむつにおいては、おむつを交換する際の労力を軽減するため、使い捨ておむつと尿取りパッド（インナーパッド、補助パッドとも称される）とを併用することがある。尿取りパッドは、使い捨ておむつと同様の吸収体を備えているが、専ら尿吸収を目的とする小型の吸収パッドであり、通常は、使い捨ておむつのトップシートの表面に載置した状態で用いられる。そして、着用者が排尿した際には使い捨ておむつ全体ではなく、この尿取りパッドのみを交換する方法で使用する。従って、排尿の度に使い捨ておむつ全体を交換する方法と比較して、交換が簡便であり、介護者の介護労力が軽減される。また、使い捨ておむつよりも低廉であるため、排尿の度に使い捨ておむつを交換する方法と比較してコスト的にも有利である。
【０００５】
このような用途に用いられる尿取りパッドとしては、例えば、吸収体と、液透過性材料からなるトップシートと、液不透過性材料からなるバックシートとを備え、そのバックシート側の前後の末端領域に、尿取りパッドを使い捨ておむつに対して掛止するための掛止手段（例えば、メカニカルファスナー等）を設けた尿取りパッドが開示されている（例えば、特許文献２参照）。
【０００６】
特許文献２に記載されるような尿取りパッドは、バックシート側の前後の末端領域に設けられた掛止手段によって、使い捨ておむつに対して尿取りパッドを確実に固定することができる。しかし、このような尿取りパッドを用いた場合、パンツ型使い捨ておむつにおける吸収体と、尿取りパッドとが、おむつの股下部に二重に配置されるため、着用者の装着感が極めて悪くなってしまった。また、おむつの股下部の厚さが厚くなることによって、着用者の足の動きが制限されてしまった。
【０００７】
このため、上記のような尿取りパッドを用いずに、パンツ型使い捨ておむつの吸収性本体が、粘着剤層やメカニカルファスナ等によって取り外し可能に構成されているパンツ型使い捨ておむつが提案されている（例えば、特許文献３〜５参照）。
【０００８】
【特許文献１】登録実用新案第３０２４３５７号公報
【特許文献２】特開２０００−１３９９８２号公報
【特許文献３】登録実用新案第３０５８２５９号公報
【特許文献４】特開２００５−３２３９８３号公報
【特許文献５】特許第３３５６４２０号公報
【発明の開示】
【発明が解決しようとする課題】
【０００９】
しかしながら、特許文献３のパンツ型使い捨ておむつは、吸収性本体の全面又は少なくとも股下部を含む領域でおむつに結合されているため、使用済みの吸収性本体を取り外し難いという問題があった。
【００１０】
また、特許文献４のパンツ型使い捨ておむつは、吸収性本体の長手方向両端部のみをおむつに固定し、吸収性本体に形成したミシン目により非固定部分を吸収性本体から切り離すものであるが、ミシン目の切断が困難であり、ミシン目以外の部分で吸収性本体が破けてしまったり、使用済みの吸収性本体の一部がおむつに残ってしまい、着用感を悪くしてしまうという問題があった。
【００１１】
特許文献５のパンツ型使い捨ておむつは、吸収性本体が、吸収性本体の幅方向の中央領域のみにおいて、最外層シート（例えば、外装部材）に接着されたものであるが、着用時に吸収性本体の四隅がめくれてしまい、装着感を悪くしてしまうという問題があった。
【００１２】
本発明は、このような従来技術の課題を解決するためになされたものであり、良好な装着感を有するとともに、吸収性本体の交換が容易なパンツ型使い捨ておむつを提供するものである。
【課題を解決するための手段】
【００１３】
本発明者は、前記のような従来技術の課題を解決するために鋭意検討した結果、吸収性本体と外装部材とを吸収性本体の長手方向の少なくとも両端部にて結合するとともに、吸収性本体の両側縁側から吸収性本体と外装部材との間に手を差し入れることができるような隙間を形成することにより、上記課題が解決されることに想到し、本発明を完成させた。具体的には、本発明により、以下のパンツ型使い捨ておむつが提供される。
【００１４】
［１］  前身頃、股下部及び後身頃の各部から構成され、前記前身頃と前記後身頃の対応する側縁部同士が接合されて、一つのウエスト周り開口部及び一対の脚周り開口部が形成されたパンツ型使い捨ておむつであって、外装部材と、吸収性本体とを備え、前記外装部材は、前記前身頃、前記股下部及び前記後身頃の各部を形成するものであり、前記吸収性本体は、排泄物吸収用の吸収体と、前記吸収体の表面を被覆するように配置された、少なくとも一部が液透過性材料からなるトップシートと、前記吸収体の裏面を被覆するように配置されたバックシートとを有するものであり、前記吸収性本体は、前記外装部材の少なくとも前記股下部に取り外し可能な状態で結合されており、前記吸収性本体と前記外装部材との結合部が、前記吸収性本体の長手方向の少なくとも両端部に形成されているとともに、前記吸収性本体の前記長手方向の中央部の両側縁は前記外装部材と結合されておらず、且つこの前記両側縁から前記吸収性本体の幅方向中央部に向かって、前記吸収性本体と前記外装部材との間に非結合部が形成され、その前記非結合部に手を差し入れることができるように構成されているパンツ型使い捨ておむつ。
【００１５】
［２］  前記吸収性本体と前記外装部材との接触面積に対する、前記吸収性本体と前記外装部材との前記結合部の面積の割合が、１５〜８０％である前記［１］に記載のパンツ型使い捨ておむつ。
【００１６】
［３］  前記吸収性本体の前記長手方向の長さに対する、前記吸収性本体の各側縁における結合されていない部分の長さの割合が、２０〜８０％である前記［１］又は［２］に記載のパンツ型使い捨ておむつ。
【００１７】
［４］  前記外装部材は、前記前身頃、前記股下部及び前記後身頃の各部を形成する不織布からなる外装体と、前記外装体の内面に配置された液不透過性材料からなる液不透過性シートとから構成され、前記吸収性本体は、前記液不透過性シートに取り外し可能な状態で結合されている前記［１］〜［３］のいずれかに記載のパンツ型使い捨ておむつ。
【００１８】
［５］  前記吸収性本体は、その両側縁に沿って、一対の吸収性本体用立体ギャザーが付設されたものである前記［１］〜［４］のいずれかに記載のパンツ型使い捨ておむつ。
【００１９】
［６］  前記外装部材は、少なくとも前記股下部の前記一対の脚周り開口部の間の領域に、一対の外装部材用立体ギャザーが付設されたものである前記［１］〜［５］のいずれかに記載のパンツ型使い捨ておむつ。
【００２０】
［７］  前記外装部材は、少なくとも前記股下部の前記一対の脚周り開口部の間の領域に、伸縮性素材からなる伸縮材が付設されたものであり、前記伸縮材は、前記前身頃側から前記後身頃側にかけて伸長状態で付設されている前記［１］〜［６］のいずれかに記載のパンツ型使い捨ておむつ。
【発明の効果】
【００２１】
本発明のパンツ型使い捨ておむつは、良好な装着感を有するとともに、吸収性本体の交換が容易である。特に、吸収性本体と外装部材との間に非結合部が形成され、その非結合部に手を差し入れることができるように構成されているため、吸収性本体を取り外す際に、吸収性本体から排泄物がこぼれ落ちないようにすることができる。このため、着用者や交換作業を行う介護者等の身体、及び、繰り返し使用することができる外装部材等に排泄物が付着することを有効に防止することができる。更に、取り外した後の吸収性本体の廃棄も容易となる。
【発明を実施するための最良の形態】
【００２２】
以下、本発明のパンツ型使い捨ておむつを実施するための最良の形態について具体的に説明する。但し、本発明はその発明特定事項を備えるパンツ型使い捨ておむつを広く包含するものであり、以下の実施形態に限定されるものではない。
【００２３】
なお、本明細書において「パンツ型使い捨ておむつ」というときは、図１に示すパンツ型使い捨ておむつ１のように、前身頃２と後身頃６の対応する側縁部同士（側縁部２ａ，６ａ、側縁部２ｂ，６ｂ）を接合することによって、接合部８、一つのウエスト周り開口部１０及び一対の脚周り開口部１２ａ，１２ｂが形成され、予めパンツ型に構成されたおむつを意味するものとする。
【００２４】
また、本明細書において、「前身頃」とは、着用者におむつを装着した際に、着用者の腹側（身体前方）を覆う部分、「股下部」とは、着用者におむつを装着した際に、着用者の股下を覆う部分、「後身頃」とは、着用者におむつを装着した際に、着用者の背側（身体後方）を覆う部分を意味するものとする。
【００２５】
［１］本発明のパンツ型使い捨ておむつの構成：
本発明のパンツ型使い捨ておむつは、図１〜図４に示すパンツ型使い捨ておむつ１のように、前身頃２、股下部４及び後身頃６の各部から構成され、前身頃２と後身頃６の対応する側縁部２ａ，６ａ（２ｂ，６ｂ）同士が接合されて（接合部８）、一つのウエスト周り開口部１０及び一対の脚周り開口部１２（１２ａ，１２ｂ）が形成されたパンツ型使い捨ておむつ１である。
【００２６】
この本発明のパンツ型使い捨ておむつ１は、外装部材１６と、吸収性本体１４とを備え、外装部材１６は、前身頃２、股下部４及び後身頃６の各部を形成するものであり、吸収性本体１４は、排泄物吸収用の吸収体２２と、吸収体２２の表面を被覆するように配置された、少なくとも一部が液透過性材料からなるトップシート１８と、吸収体２２の裏面を被覆するように配置されたバックシート２０とを有するものであり、吸収性本体１４は、外装部材１６の少なくとも股下部４に取り外し可能な状態で結合されており、吸収性本体１４と外装部材１６との結合部２３が、吸収性本体１４の長手方向の少なくとも両端部に形成されているとともに、吸収性本体１４の長手方向の中央部の両側縁は外装部材１６と結合されておらず、且つこの両側縁から吸収性本体１４の幅方向中央部に向かって、吸収性本体１４と外装部材１６との間に非結合部２４が形成され、図５に示すように、その非結合部２４に手を差し入れることができるように構成されている。
【００２７】
ここで、図１は、本発明のパンツ型使い捨ておむつの一の実施形態を示す概略斜視図であり、本発明のパンツ型使い捨ておむつをその前方から見た状態を示す図である。また、図２は、本発明のパンツ型使い捨ておむつの一の実施形態を示す一部切り欠き平面図であり、図１に示すパンツ型使い捨ておむつを展開し、おむつの吸収性本体側から見た状態を示す図である。なお、図１及び図２に示すパンツ型使い捨ておむつにおいては、吸収性本体として、その両側縁に沿って付設された、一対の吸収性本体用立体ギャザーを省略して示している。また、図３は、本発明のパンツ型使い捨ておむつの一の実施形態を示す概略断面図であり、図３の（ａ）は、図２に示すパンツ型使い捨ておむつをＸ１−Ｘ１’線に沿って切断した断面の例を示す概略断面図であり、図３の（ｂ）は、吸収性本体に一対の吸収性本体用立体ギャザーが付設された場合の断面を示す概略断面図である。図４は、本発明のパンツ型使い捨ておむつの一の実施形態を示す概略断面図であり、図４の（ａ）は、図２に示すパンツ型使い捨ておむつをＸ２−Ｘ２’線に沿って切断した断面の例を示す概略断面図であり、図４の（ｂ）は、吸収性本体に一対の吸収性本体用立体ギャザーが付設された場合の断面を示す概略断面図である。また、図５は、図１に示すパンツ型使い捨ておむつの非結合部に手を差し入れた状態を示す概略斜視図である。
【００２８】
本発明のパンツ型使い捨ておむつは、上記したように、吸収性本体１４が、外装部材１６に取り外し可能な状態で結合されているため、おむつ着用時に排泄を行った際に、おむつ全体を交換する必要はなく、吸収性本体１４のみを交換することによって対応することができ、経済的である。また、このように吸収性本体１４のみを交換することができるので、衣服の着脱を伴うパンツ型使い捨ておむつ１（具体的には、外装部材１６）の交換を行う必要がなく、簡便におむつを利用することができる。また、吸収性本体が外装部材に完全に固定された従来のパンツ型使い捨ておむつに尿取りパッド等を併用して用いた場合と比較して、おむつの股下部が厚くならず、着用者の装着感が極めて良好であるとともに、着用者の足の動きが制限され難い。
【００２９】
また、本発明のパンツ型使い捨ておむつのように、吸収性本体と外装部材との結合部が、吸収性本体の長手方向の両端部に形成されていない場合には、おむつ装着時において外装部材を引き上げる際に、吸収性本体の長手方向端部が体に引っ掛かって引き上げ難くなる。また、本発明のパンツ型使い捨ておむつにおいては、吸収性本体の長手方向端部が着用面側に向って丸まるなどの問題も生じ難く、容易に取り外しが可能である。
【００３０】
また、本発明のパンツ型使い捨ておむつ１は、上記した非結合部２４（即ち、吸収性本体１４と外装部材１６との隙間）に手を差し入れることができるように構成されている。このため、吸収性本体１４を交換する際には、図５に示すように、非結合部２４に手を差し入れて、吸収性本体１４の裏側から持ち上げることができ、取り外した吸収性本体１４から排泄物がこぼれ落ちないようにすることができる。このため、着用者や交換作業を行う介護者等の身体、及び繰り返し使用することができる外装部材等に排泄物が付着することを有効に防止することができる。更に、取り外した後の吸収性本体１４の廃棄も容易となる。
【００３１】
［１−１］外装部材：
外装部材は、着用者の身体を被包するための装着機能を担う部材であり、具体的には、前身頃、股下部及び後身頃の各部を形成するシート状の部材である。
【００３２】
本発明のパンツ型使い捨ておむつにおいては、着用者の排泄物を吸収し、保持する吸収・保持機能については、専ら吸収性本体が果たすことになる。吸収性本体に漏れ防止のための液不透過性シートが配置されている場合は、外装部材を構成する材料として液不透過性材料を用いる必要はなく、不織布から構成されていてもよい。このような不織布としては、例えば、ポリエチレン、ポリプロピレン、ポリエステル、その他の熱可塑性樹脂からなる合成繊維によって構成された不織布等が主に用いられるが、外装部材の内側面のみ綿不織布などを用いたものであってもよい。但し、吸収性本体に液不透過性材料が用いられていない場合、また、吸収性本体に液不透過性材料が用いられている場合であっても、外装部材の全体又は一部に液不透過性材料を用いてもよい。
【００３３】
そして、外装部材は、ウエスト周り伸縮材や脚周り伸縮材等を挟み込んだ状態で固定するために、２枚以上の不織布を貼り合わせて構成されることが多い。例えば、図１〜図５に示すパンツ型使い捨ておむつ１の外装部材１６は、２枚の不織布１６ａ，１６ｂ、例えば、アウターカバー（不織布１６ａ）とインナーカバー（不織布１６ｂ）とを貼り合わせて、前身頃２、股下部４及び後身頃６の各部を構成し、それらの不織布１６ａ，１６ｂの間に脚周り伸縮材４０、ウエスト周り伸縮材４２及び腹周り伸縮材４４を挟み込み固定した例である。
【００３４】
また、図１に示すパンツ型使い捨ておむつ１は、所謂、ブリーフ型のおむつ（パンツ型おむつ）であるが、例えば、図６及び図７に示すように、外装部材１６が、前身頃２、股下部４及び後身頃６の各部から構成され、前身頃２と後身頃６の対応する側縁部同士が接合されて（接合部８）、一つのウエスト周り開口部１０及び一対の脚周り開口部１２（１２ａ，１２ｂ）が形成され、一対の脚周り開口部１２が、前身頃２及び後身頃６の下端が股下部４より下方まで延出されて脚周り被覆部１３が形成された、所謂、ボクサー型のおむつ（パンツ型使い捨ておむつ１００，１１０）であってもよい。
【００３５】
ここで、図６は、本発明のパンツ型使い捨ておむつの他の実施形態を示す概略斜視図であり、本発明のパンツ型使い捨ておむつをその前方から見た状態を示す図であり、図７は、本発明のパンツ型使い捨ておむつの他の実施形態を示す概略斜視図であり、本発明のパンツ型使い捨ておむつをその前方から見た状態を示す図である。
【００３６】
また、本発明のパンツ型使い捨ておむつにおいては、図８及び図９に示すように、外装部材１６が、前身頃２、股下部４及び後身頃６の各部を形成する不織布からなる外装体１７と、外装体１７の内面に配置された液不透過性材料からなる液不透過性シート２５とから構成され、吸収性本体１４は、液不透過性シート２５に取り外し可能な状態で結合されていてもよい。なお、液不透過性シート２５は、外装体１７から取り外しができないように固定されている。また、この例では、前身頃２側及び後身頃６側の端縁に、液不透過性シート２５を固定するための不織布１６ｃ（抑えシート）を更に貼り合わせ、液不透過性シート２５のそれぞれの端部を固定している。
【００３７】
ここで、図８は、本発明のパンツ型使い捨ておむつの他の実施形態を展開した一部切り欠き平面図であり、図９は、図８に示すパンツ型使い捨ておむつをＸ３−Ｘ３’線に沿って切断した断面を示す概略断面図である。なお、符号５１で示す塗りつぶした三角印は、ぞれぞれの部材が取り外しができないように固定された固定部を示す。
【００３８】
このように構成することによって、仮に、吸収性本体から排泄物が漏れ出したり、その表面を伝って尿が拡散したとしても、この液不透過性シートによって、不織布からなる外装体への排泄物の染み込みを有効に防止することができる。特に、このような液不透過性シートを配置することにより、例えば、吸収性本体を構成するバックシートが、必ずしも液不透過性材料から構成されたものである必要がなくなり、例えば、撥水性材料からなるバックシートを用いることも可能となる。
【００３９】
この液不透過性シートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００４０】
図８及び図９においては、外装部材１６を構成する外装体１７の内面（即ち、不織布１６ｂの表面）に、吸収性本体１４と略同程度の大きさの液不透過性シート２５が配設され、この液不透過性シート２５の表面に吸収性本体１４が取り外し可能な状態で結合された場合の例を示してる。なお、液不透過性シート２５の大きさは、吸収性本体１４の大きさよりも大きなものであってもよい。なお、外装部材に配置された液不透過性シートが外装部材全体に亘って配置されていてもよいが、吸収性本体の略下部にのみ配置されていてもよい。吸収性本体の略下部にのみ配置されている場合には、パンツ型使い捨ておむつの通気性が高くなり、着用者が快適に使用することができる。図８及び図９においては、外装部材に配置された液不透過性シートが、外装部材の上部である内側面に配置されているが、外装部材を構成するシート（例えば、インナーカバーとアウターカバー）間に配置してもよい。このように構成することによって、インナーカバー、アウターカバーの他に液不透過性シートの長手方向の両端部を抑える抑えシートを別途配置する必要がなくなる。
【００４１】
また、本発明のパンツ型使い捨ておむつにおいては、外装部材が、少なくとも股下部の一対の脚周り開口部の間の領域に、一対の外装部材用立体ギャザーが付設されたものであってもよい。なお、吸収性本体は、この一対の外装部材用立体ギャザーの間の領域に、取り外し可能に結合されている。
【００４２】
立体ギャザーは、着用者の排泄した尿の横漏れを防止するための部材であり、立体的に起立可能なように構成された防漏壁である。このように、少なくとも股下部の一対の脚周り開口部の間の領域に、一対の外装部材用立体ギャザーが付設されていることによって、トップシートの上に尿が排泄され、トップシートを伝って尿が拡散してしまった場合でも、この外装部材用立体ギャザーが防波堤となり、おむつの脚周り開口部等からの漏れ（いわゆる「横漏れ」）を有効に防止することができる。
【００４３】
外装部材用立体ギャザーの構成は、従来の使い捨ておむつ、その他の吸収性物品に使用される立体ギャザーの構成を採用することができる。例えば、撥水性のシート材の一部に伸縮材（立体ギャザー伸縮材）を配置し、その立体ギャザー伸縮材によってシート材にギャザー（襞）を形成したもの等を好適に用いることができる。
【００４４】
この外装部材用立体ギャザーは、股下部からの漏れを防止するため、少なくとも股下部の一対の脚周り開口部の間に形成されていればよいが、前身頃や後身頃に形成されていてもよい。例えば、図１０及び図１１に示すパンツ型使い捨ておむつ１は、おむつの長手方向に沿って、股下部４から前身頃２と後身頃６の双方にかけて連続的に、一対の外装部材用立体ギャザー２６（２６ａ，２６ｂ）が付設された例を示すものである。なお、この例では、外装部材用立体ギャザー２６ａ，２６ｂを構成する立体ギャザー形成シート３２ａ，３２ｂの端部（立体ギャザー２６ａ，２６ｂの上端縁に相当する側の端部）を折り返し、その折り返し部分に各１本の立体ギャザー伸縮材３６ａ，３６ｂを挟み込むように配置している。また、外装部材用立体ギャザーは、少なくとも一対形成する必要があるが、二対以上形成してもよい。なお、図面においては、各１本の立体ギャザー伸縮材３６ａ，３６ｂを挟み込んでいるが、各１本に限らず、複数本配置してもよい。なお、図１０においては、外装部材１６における前身頃２側及び後身頃６側の端縁に、外装部材用立体ギャザー２６ａ，２６ｂの端部を固定するための不織布１６ｃ（抑えシート）を更に貼り合わせ、外装部材用立体ギャザー２６ａ，２６ｂのそれぞれの端部を固定している。
【００４５】
この外装部材用立体ギャザーは、おむつの内側に向かって傾倒する内倒しギャザーであってもよいし、おむつの外側に向かって傾倒する外倒しギャザーであってもよく、Ｃ折りやＺ折りなどの外装部材用立体ギャザーの起立部から自由端部までの間に折り返し部を設けたものであってもよい。本発明のパンツ型使い捨ておむつにおいては、外装部材用立体ギャザーの少なくとも一部が、おむつの内側に向かって傾倒する内倒しギャザーであることが好ましい。この内倒しギャザーは、防漏性において特に優れている。
【００４６】
また、外装部材用立体ギャザーは、その少なくとも一部が着色されたものであることが好ましい。外装部材に外装部材用立体ギャザーが付設されたものである場合には、一対の外装部材用立体ギャザーの間の領域に、吸収性本体が取り外し可能に結合されるため、上記したように外装部材用立体ギャザーの少なくとも一部が着色されたものとすることにより、吸収性本体を取り外しするための領域が確認し易くなり、吸収性本体の剥離や装着、特に適切な位置への装着が容易になる。
【００４７】
［１−２］吸収性本体：
本発明のパンツ型使い捨ておむつに用いられる吸収性本体は、排泄物吸収用の吸収体と、吸収体の表面を被覆するように配置された、少なくとも一部が液透過性材料からなるトップシートと、吸収体の裏面を被覆するように配置されたバックシートとを有するものである。例えば、図１〜図４に示すパンツ型使い捨ておむつ１は、トップシート１８とバックシート２０の間に吸収体２２を挟み込み、吸収体２２の周縁部を封着することによって、トップシート１８とバックシート２０との間に吸収体２２が介装された構造の吸収性本体１４を構成した例である。
【００４８】
本発明のパンツ型使い捨ておむつにおいては、この吸収性本体が、外装部材の少なくとも股下部に取り外し可能に結合されおり、吸収性本体と外装部材との結合部が、吸収性本体の長手方向の少なくとも両端部に形成されている。更に、吸収性本体の長手方向の中央部の両側縁は外装部材と結合されておらず、且つこの両側縁から吸収性本体の幅方向中央部に向かって、吸収性本体と外装部材との間に非結合部が形成され、その非結合部に手を差し入れることができるように構成されている。このため、着用者が排泄を行った際には、この非結合部に手を差し入れて、吸収性本体を外装部材から取り外して交換することができる。使用済みの吸収性本体を取り外した後は、新たな吸収性本体を、外装部材の少なくとも股下部に装着することにより、外装部材を繰り返して使用することができる。
【００４９】
吸収性本体は、少なくともおむつの股下部をカバーするサイズに構成される。但し、漏れ防止の効果を確実なものとするため、股下部のみならず前身頃や後身頃の一部をもカバーする大きさに構成することが好ましい。
【００５０】
また、吸収性本体は、その両側縁に沿って、一対の吸収性本体用立体ギャザーが付設されたものであってもよい。例えば、図１２に示すように、トップシート１８やバックシート２０とは全く別個のシート材（吸収性本体用立体ギャザー形成シート３３ａ，３３ｂ）を、吸収性本体１４の両側縁部に貼り合わせ、立体的に起立可能な構造とすることにより、一対の吸収性本体用立体ギャザー２７ａ，２７ｂを付設した例である。この例では、吸収性本体用立体ギャザー形成シート３３ａ，３３ｂの端部（吸収性本体用立体ギャザー２７ａ，２７ｂの上端縁に相当する側の端部）を折り返し、その折り返し部分に各１本の吸収性本体用立体ギャザー伸縮材３８ａ，３８ｂを挟み込むように配置している。また、吸収性本体用立体ギャザーは、一対に限定されることはなく、二対以上形成されたものであってもよい。例えば、図１２において、吸収性本体用立体ギャザー形成シート３３ａ，３３ｂがバックシート２０とともに吸収性本体用立体ギャザー２７ａ，２７ｂの外側にて起立している部位に、別の伸縮材を配置して、更にもう一対の吸収性本体用立体ギャザーを形成してもよい。ここで、図１２は、本発明のパンツ型使い捨ておむつの更に他の実施形態における概略断面図である。
【００５１】
なお、吸収性本体の両側縁（両サイド）は、トップシートとバックシートが延出して両シートが貼り合わされていてもよいし、吸収性本体の両側縁に延出したシートを形成しなくともよい。また、吸収性本体の両側縁からシートが延出している場合において、この両シートの幅が同一の大きさであってもよいし、異なっていてもよい。好ましくは、吸収性本体をコンパクトにするために、吸収体の広幅部分に合わせて両側縁のシートを折り返して吸収性を包み込む形を取る。図３の（ａ）及び図４（ａ）においては、トップシート１８の下側にバックシート２０の側縁が折り返されているが、例えば、図示は省略するが、トップシートの上側に折り返していてもよい。なお、吸収体が吸収した排泄物の沁み出しを防止するために、バックシートをトップシートの上側に折り返して吸収体を包み込む方法が好ましいが、例えば、バックシートがフィルムから形成されたものである場合には、フィルムが直接肌に接触してしまわないように、トップシートの下側にバックシートの側縁が折り返されて、吸収性本体の上面がトップシートによって構成されていることが好ましい。
【００５２】
［１−２ａ］吸収体：
吸収体は、着用者の尿を吸収し、保持するための部材である。吸収体は、着用者の尿や体液を吸収し保持する必要から、吸収性材料によって構成される。
【００５３】
吸収体を構成する吸収性材料としては、使い捨ておむつ、その他の吸収性物品に通常使用される従来公知の吸収性材料、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す）、親水性シート等を挙げることができる。フラッフパルプとしては木材パルプや非木材パルプを綿状に解繊したものを、ＳＡＰとしてはポリアクリル酸ナトリウムを、親水性シートとしてはティシュ、吸収紙、親水化処理を行った不織布を用いることが好ましい。また、吸収体の型崩れ対策として熱融着繊維等の合成繊維を含んでいてもよい。
【００５４】
これらの吸収性材料は、通常、単層ないしは複層のマット状として用いられる。この際、前記の吸収性材料のうち１種を単独で用いてもよいし、２種以上を併用してもよい。中でも、フラッフパルプ１００質量部に対して、１０〜５００質量部程度のＳＡＰを併用したものが好ましい。この際、ＳＡＰはフラッフパルプの各マット中に均一に混合されていてもよいし、複層のフラッフパルプの層間に層状に配置されていてもよい。
【００５５】
吸収体は、トップシートとバックシートの間の少なくとも一部に介装されることが好ましい。通常、吸収体は、トップシートとバックシートの間に挟み込まれ、その周縁部が封着されることによって、トップシートとバックシートとの間に介装される。従って、吸収体の周縁部にはトップシートとバックシートの間に吸収体が介装されていないフラップ部が形成されているか、前記トップシート及び／又はバックシートにより吸収体縁部が包まれている。
【００５６】
吸収体は、その全体が親水性シートによって包み込まれていることが好ましい。このような構成は、吸収体からＳＡＰが漏洩することを防止し、吸収体に形状安定性を付与することができるという利点がある。
【００５７】
吸収体の形状については特に制限はないが、従来の使い捨ておむつ、その他の吸収性物品において使用される形状、例えば、矩形状、砂時計型、ひょうたん型、Ｔ字型等を挙げることができる。
【００５８】
［１−２ｂ］トップシート：
トップシートは、吸収体の表面（おむつの装着時において着用者の肌側に位置する面）を被覆するように配置されるシートである。トップシートは、その裏面側に配置された吸収体に、着用者の尿を吸収させる必要から、その少なくとも一部（全部ないし一部）が液透過性材料により構成される。
【００５９】
トップシートを構成する液透過性材料としては、例えば、織布、不織布、多孔性フィルム等を挙げることができる。中でも、ポリプロピレン、ポリエチレン、ポリエステル、ナイロン等の熱可塑性樹脂からなる不織布に親水化処理を施したものを用いることが好ましい。トップシートは単一のシート材によって構成されていてもよいが、複数のシート材によって構成されていてもよい。
【００６０】
［１−２ｃ］バックシート：
バックシートは、吸収体の裏面（おむつの装着時において着用者の着衣側に位置する面）を被覆するように配置されるシートである。
【００６１】
本発明のパンツ型使い捨ておむつにおいては、上記したバックシートは、液不透過性材料又は撥水性材料からなるものであることが好ましい。
【００６２】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００６３】
また、バックシートを構成する撥水性材料としては、例えば、スパンボンドやカードエンボス等の不織布を用いてもよいが、耐水圧が高いという理由から、ＳＭＳ（スパンボンド／メルトブロー／スパンボンド）、ＳＭＭＳ（スパンボンド／メルトブロー／メルトブロー／スパンボンド）、メルトブローシート等の不織布を挙げることができる。
【００６４】
［１−３］結合部：
本発明のパンツ型使い捨ておむつにおいては、吸収性本体の長手方向の少なくとも両端部に、吸収性本体と外装部材との結合部が形成されている。このような位置に結合部が形成されているため、パンツ型使い捨ておむつを装着する際に、吸収性本体が外装部材から剥がれ難くなり、良好な装着感を実現することができる。
【００６５】
図２においては、矩形状の吸収性本体１４の長手方向の両端部に、吸収性本体１４と外装部材１６との結合部２３が形成された例を示しているが、結合部は、吸収性本体の長手方向の少なくとも両端部の一部に形成されていればよい。例えば、図１３に示すように、矩形状の吸収性本体１４において、その両端部における四隅に結合部２３が形成されていてもよい。なお、図１３においては、吸収性本体１４の両端部における四隅に加えて、その中央部にも結合部２３が形成されている。ここで、図１３は、本発明のパンツ型使い捨ておむつの更に他の実施形態を展開した一部切り欠き平面図である。
【００６６】
また、本発明のパンツ型使い捨ておむつにおいては、吸収性本体の長手方向の中央部の両側縁が外装部材と結合されておらず、且つこの両側縁から吸収性本体の幅方向中央部に向かって、吸収性本体と外装部材との間に非結合部が形成され、この非結合部（即ち、吸収性本体と外装部材との隙間）に手を差し入れることができるように構成されている限りにおいては、例えば、図１４及び図１５に示すように、吸収性本体１４の幅方向中央部にも結合部２３が形成されていてもよい。ここで、図１４は、本発明のパンツ型使い捨ておむつの更に他の実施形態を展開した一部切り欠き平面図であり、図１５は、図１４に示すパンツ型使い捨ておむつをＸ５−Ｘ５’線に沿って切断した断面を示す概略断面図である。
【００６７】
吸収性本体と外装部材との結合部の大きさについては特に制限はないが、吸収性本体と外装部材との接触面積に対する、上記結合部の面積の割合が、１５〜８０％であることが好ましく、３０〜６０％であることが更に好ましい。このように構成することによって、吸収性本体を外装部材に確実に結合させることができるとともに、吸収性本体を取り外すための非結合部を形成するための領域を良好に確保することができる。なお、吸収性本体と外装部材との接触面積に対する、上記結合部の面積の割合が１５％未満であると、結合部の面積が少な過ぎて、パンツ型使い捨ておむつを装着する際に、吸収性本体が剥がれてしまったり、位置ずれが生じたりすることがある。また、８０％を超えると、非結合部が小さくなり過ぎて、吸収性本体と外装部材との間に手を差し入れることが困難になることがある。
【００６８】
本発明のパンツ型使い捨ておむつにおける結合部としては、吸収性本体を外装部材から取り外すことができるような粘着剤層によって構成されたものを挙げることができる。この粘着剤層は、外装部材側に配置されたものであってもよいし、吸収性本体側に配置されたものであってもよい。
【００６９】
このような粘着剤層としては、使用済みの吸収性本体を外装部材から少なくとも取り外すことができるように構成されていればよい。即ち、新規のパンツ型使い捨ておむつを使用する際には、吸収性本体は予め外装部材に装着された状態であるため、使用済みの吸収性本体を取り外した後には、この吸収性本体を再び外装部材に装着することは極めて稀であり、通常はそのまま廃棄される。このため、上記した粘着剤層は、一度、吸収性本体と外装部材とを接着させた後は、剥離は可能であるが再接着が不可能な粘着剤層であってもよい。勿論、再度結合が可能なものであってもよい。
【００７０】
外装部材に新たに装着する吸収性本体には、外装部材に結合するための手段を設ける必要があり、この結合手段は粘着剤層を設けたものであってもよいが、機械的結合手段であってもよい。すなわち、後者の場合（機械的結合手段の場合）は、取り外し可能に結合されていた吸収性本体の外装部材への結合手段と、交換用の吸収性本体の外装部材への結合手段とが異なることとなる。例えば、外装部材に予め配置されている吸収性本体は、吸収性本体を外装部材に着用者が装着するという行為が必要なく、取り外しのみに特化した結合手段でよいため、パンツ型使い捨ておむつの製造が容易で、機械的結合手段等よりも安価である接着剤を用いることができ、コスト面において有利である。一方、吸収性本体を取り外した後に、新たに配置する交換用の吸収性本体は、外装部材に対して、装着と取り外しという両方の行為に対応する必要がある。このため、交換用の吸収性本体は、装着時に体や衣類等の余計な箇所に貼着するような粘着剤よりも、余計な箇所に結合し難い機械的結合手段を配置したものであることが好ましい。
【００７１】
上述したような粘着剤層は、例えば、従来のパンツ型使い捨ておむつにおいて、吸収性本体を固定するための粘着剤の粘着力を、吸収性本体を固定する領域のみ弱く、例えば、仮止めの状態とすることによって形成することができる。
【００７２】
また、本発明のパンツ型使い捨ておむつの結合部として、吸収性本体を外装部材に機械的結合させることが可能な結合部材（上記した機械的結合手段）を用いる場合には、例えば、メカニカルファスナーのフック材、又は前記フック材と結合可能なループ材もしくは繊維状の表面を有する素材からなるシート材等を好適に用いることができる。
【００７３】
上記した「メカニカルファスナー（面状ファスナーとも称される）」とは、機械的結合を用いた面状ファスナーであり、例えば、表面に多数の突起（鉤状、きのこ状、錨状等）が形成された凸部材（フック材）と、表面にループ状の繊維が配置された凹部材（ループ材）とを組み合わせたもの等が用いられることが多い。このメカニカルファスナーは、ループ材の表面にフック材を重ね合わせ、フック材の多数の突起をループ材の表面に係合させることにより、両部材を取り外し可能な状態に、且つ、強固に固着させることができるものである。
【００７４】
また、メカニカルファスナーのフック材は、これと対応するメカニカルファスナーのループ材以外にも、織布、不織布、フェルト、パイル等の繊維状の表面を有する素材にも係合させることが可能であるので、メカニカルファスナーのループ材に代えて、フック材と結合可能な繊維状の表面を有する素材からなるシート材を結合部材として用いることもできる。なお、本発明のパンツ型使い捨ておむつにおける結合部は、全てが同一の結合手段によって結合されたものであってもよいが、複数の結合手段によって結合されたものが混在していてもよい。すなわち、結合部全体を剥離可能な接着剤によって結合していてもよいが、結合部の一部が再剥離可能な接着剤や機械的結合手段を用いたものであってもよい。
【００７５】
［１−４］非結合部：
本発明のパンツ型使い捨ておむつは、吸収性本体の長手方向の中央部の両側縁が外装部材と結合されておらず、且つこの両側縁から吸収性本体の幅方向中央部に向かって、吸収性本体と外装部材との間に非結合部が形成されている。本発明のパンツ型使い捨ておむつは、この非結合部（即ち、吸収性本体と外装部材との隙間）に手を差し入れることができるように構成されている。このため、吸収性本体を交換する際には、非結合部に手を差し入れて、吸収性本体の裏側から持ち上げて取り外すことができる。
【００７６】
非結合部を形成するための、吸収性本体の各側縁における結合されていない部分の長さについては、上記したように、非結合部（即ち、吸収性本体と外装部材との隙間）に手を差し入れることができるように構成されている限り特に制限はない。なお、本発明のパンツ型使い捨ておむつにおいては、例えば、図２に示すように、吸収性本体の長手方向の長さＬ１に対する、吸収性本体の一方の側縁における結合されていない部分の長さＬ２の割合が、２０〜８０％であることが好ましく、３０〜７０％であることが更に好ましい。このように構成することによって、吸収性本体１４を取り外す際に非結合部２４に手を差し入れ易くなる。なお、吸収性本体の長手方向の長さＬ１に対する、吸収性本体の一方の側縁における結合されていない部分の長さＬ２の割合が２０％未満であると、吸収性本体１４の側縁における結合されていない部分が狭すぎて、吸収性本体１４と外装部材１６との間に手を差し入れることが困難になることがある。また、８０％を超えると、吸収性本体１４の側縁における結合されていない部分が広すぎて、吸収性本体１４の側縁が装着時に捲れてしまい、装着感を悪化させることがある。
【００７７】
また、吸収性本体に対する股下領域での非結合部においては、吸収性本体の左右の側縁に向って、非結合部を構成する領域（即ち、結合していない部分）が連続して形成されていてもよいが、非連続に形成されていてもよい。また、一部分のみ左右（両側縁）で貫通していたり、吸収性本体の側縁からの非結合部の奥行きが一定であってもよいが、この非結合部の奥行きが吸収性本体の長手方向に沿って変化していてもよい。
【００７８】
本発明のパンツ型使い捨ておむつにおいては、例えば、吸収性本体の側縁から手を簡単に差し入れることができるように、１００ｍｍ程度以上の幅（図２における長さＬ２）を持って吸収性本体の側縁に非結合部が形成されていることが好ましい。また、吸収性本体の側縁からの奥行き（深さ）も、指の第一関節までは差し込むことができるように、３０ｍｍ以上の深さであることが好ましい。なお、この非結合部の奥行きが変化している場合には、吸収性本体の側縁に幅広の非結合部を形成して、特に特定の箇所を狙わずとも、指が引っ掛かるようにしながら、差し込んだ指を奥に進めて、深いポケットとなっている部位に誘導することも可能となる。このように構成することによって、吸収性本体の浮きを少なくしながら、吸収性本体の取り外しも容易に行うことができるパンツ型使い捨ておむつを提供することができる。
【００７９】
［１−５］各種伸縮材：
パンツ型使い捨ておむつにおいては、脚周り伸縮材を配置し、ウエスト周り伸縮材を配置することが一般的であり、更に腹周り伸縮材を配置することが好ましい。
【００８０】
脚周り伸縮材は、脚周り開口部に沿って配置される伸縮材である。この脚周り伸縮材を配置することによって、脚周り開口部に伸縮性に富むギャザー（レグギャザー）を形成することができる。従って、脚周りに隙間が形成され難くなり、脚周り開口部からの尿漏れを効果的に防止することができる。
【００８１】
ウエスト周り伸縮材は、ウエスト周り開口部に沿って配置される伸縮材である。ウエスト周り伸縮材を配置することによって、ウエスト開口部に伸縮性に富むギャザー（ウエストギャザー）を形成することができる。このウエストギャザーにより、ウエスト周りに隙間が形成され難くなり、ウエスト周りからの尿漏れを防止することができる他、着用者へのおむつのフィット性が良好となり、おむつのずり下がりが防止される。
【００８２】
腹周り伸縮材は、ウエスト周り開口部と脚周り開口部との間の部分（即ち、着用者の腹周りに相当する部分）に配置される伸縮材である。腹周り伸縮材を配置することによって、着用者の腹周りに伸縮性に富むタミーギャザーを形成することができる。このタミーギャザーは、ウエストギャザーと相俟って、おむつのフィット性やずり下がり防止効果を一層優れたものとすることができる。
【００８３】
なお、図１及び図２に示すパンツ型使い捨ておむつ１は、脚周り開口部１２ａ，１２ｂの周縁には複数本の脚周り伸縮材４０を配置し、ウエスト周り開口部１０の周縁にはウエスト周り開口部１０を取り囲むように複数本のウエスト周り伸縮材４２を配置し、更に、ウエスト周り開口部１０と脚周り開口部１２ａ，１２ｂとの間の部分（即ち、着用者の腹周りに相当する部分）には、着用者の腹周りを取り囲むように複数本の腹周り伸縮材４４を配置した例である。
【００８４】
なお、図２においては、脚周り伸縮材４０は、前身頃２と後身頃６とにそれぞれ配置され、股下部４の脚周り開口部近傍で二度交差することで、脚周り開口部に連続した脚周りギャザーを形成しているが、必ずしも、前身頃２と後身頃６とに配置された脚周り伸縮材４０が股下部４で交差する必要はない。また、股下部４の領域を横切る脚周り伸縮材４０は、少なくとも一部が切断されて、非連続になっていることが好ましい。股下部４０に伸長状態で脚周り伸縮材４０が横切って配置されていると、吸収性本体１４を取り外した際に、股下部４が縮こまってしまい、新たな吸収性本体を配置し難くなることがある。
【００８５】
これらの伸縮材については、既に述べた開口部伸縮材と同様の構成を採用することができる。そして、ギャザーの収縮の程度等を勘案した上で、構成材料、その材料の伸長率、固定時の伸長状態等を決定すればよい。
【００８６】
また、本発明のパンツ型使い捨ておむつは、図１６及び図１７に示すように、外装部材１６又は吸収性本体１４は、少なくとも股下部４の一対の脚周り開口部１２ａ，１２ｂ（図１参照）の間の領域に、伸縮性素材からなる伸縮材４８（以下、「股下部伸縮材」ということがある）が付設されたものであり、この伸縮材４８は、前身頃２側から後身頃６側にかけて伸長状態で付設されているものであってもよい。このように構成することによって、おむつの股下部４に伸縮性を付与することができ、股下部４の装着感を更に向上させることができる。このような伸縮材としては、上記したギャザーに用いられる伸縮材と同様の伸縮性素材を好適に用いることができる。また、この伸縮材の伸長率については特に制限はないが、例えば、１２０％〜４５０％であることが好ましく、２００％〜３５０％であることが更に好ましい。
【００８７】
ここで、図１６は、本発明のパンツ型使い捨ておむつの更に他の実施形態を展開した一部切り欠き平面図であり、図１７は、図１６に示すパンツ型使い捨ておむつをＸ６−Ｘ６’線に沿って切断した断面の例を示す概略断面図である。図１７においては、外装部材１６が、外装体１７に２枚のシート４７（４７ａ，４７ｂ）が配置されており、この２枚のシート（４７ａ，４７ｂ）の間に伸縮材４８が付設されている。
【００８８】
また、本発明のパンツ型使い捨ておむつにおいては、図１８の（ａ）のように、上記した伸縮性素材からなる伸縮材４８が、吸収性本体１４側に付設されていてもよい。
【００８９】
また、本発明のパンツ型使い捨ておむつにおいては、図１８の（ｂ）のように、吸収性本体１４に吸収性本体用立体ギャザー２７（２７ａ，２７ｂ）を形成することが、漏れ防止効果を高める上でも好ましい。このような吸収性本体用立体ギャザー２７を形成する場合には、伸長状態の吸収性本体用立体ギャザー伸縮材３８ａ，３８ｂを挟み込むように撥水性のサイドシートなどを配置して吸収性本体用立体ギャザー２７を形成する。この吸収性本体用立体ギャザー２７を形成したサイドシートの連続体（サイドシート連続体）をトップシートの連続体（トップシート連続体）の両サイドに配置して結合した上で、間欠的に吸収体が配置されたバックシートの連続体（バックシート連続体）の上面に配置して貼り合わせる。この際、図１８の（ｂ）に示すように、更に吸収性本体１４の端部に第二の吸収性本体用立体ギャザー２８（２８ａ，２８ｂ）を形成してもよい。具体的には、サイドシートとバックシートとの間にさらに伸長状態の立体ギャザー伸縮材３９ａ，３９ｂを配置して、サイドシート及び／又はバックシートで挟み込んで、吸収性本体１４自体に第二の吸収性本体用立体ギャザー２８を形成する。ここで、図１８は、本発明のパンツ型使い捨ておむつの更に他の実施形態における概略断面図であり、図１８の（ａ）は、股下部伸縮材４８が、吸収性本体１４側に付設されている場合の例を示し、図１８の（ｂ）は、外装部材１６に外装部材用立体ギャザー２６が付設され、更に、吸収性本体１４には吸収性本体用立体ギャザー２７と第二の吸収性本体用立体ギャザー２８とが付設された場合の例を示している。
【００９０】
また、例えば、図１７及び図１８の（ｂ）に示すように、外装部材に股下部伸縮材を付設する場合には、吸収性本体の連続体（吸収性本体連続体）を形成する際に、バックシートの裏面側に更に２枚のシートを連続して配置し、その両シート間に伸縮材を伸長状態で配置し、固定することで、容易に股下部に股下部伸縮材を配置することができる。この際、バックシートの裏面に配置する２枚のシートと、バックシートとを剥離可能に結合することで、股下部伸縮材は吸収性本体が取り外された後も、外装部材に残すことができる。この２枚のシートのうち、上面側（バックシート側）のシートは、メカニカルファスニングシステムによる凹材となる素材を用いてもよい。また、２枚のシートのうち、下面側（外装部材側）のシートは、液不透過性シートを用いてもよい。
【００９１】
一方、図１８の（ａ）に示すように、吸収性本体とともに股下部伸縮材が取り外されるように構成する場合には、股下部伸縮材をトップシートとバックシートの間に挟み込んでもよいし、バックシートの裏面に更にシートを配置して、両シート間に股下部伸縮材を配置してもよい。
【００９２】
［２］本発明のパンツ型使い捨ておむつの製造方法：
以下、本発明のパンツ型使い捨ておむつを製造する方法について、図１０に示すような、股下部４から前身頃２と後身頃６の双方にかけて連続的に、一対の外装部材用立体ギャザー２６（２６ａ，２６ｂ）が付設されたパンツ型使い捨ておむつ１の製造方法を例に挙げて説明する。
【００９３】
［２−１］吸収性本体の製造：
図１９に示すように、バックシート２０の表面に、親水性シートに包まれた吸収体２２を配置し、更にその表面にトップシート１８を配置する。次いで、吸収体２２の周縁部をトップシート１８とバックシート２０とで挟み込むように封着することによって吸収性本体１４を得る。なお、図１９に示す製造方法においては、バックシート２０及びトップシート１８として各長尺シート材を用い、各長尺シート材をローラーから連続的に送出する方法・装置を採用した例を示している。
【００９４】
なお、パンツ型使い捨ておむつとして、図８に示すような、液不透過性シートを更に備えたものを製造する場合には、例えば、上記吸収性本体を製造する際に、バックシートの裏面に、液不透過性シートを取り外し可能な状態で配置してもよい。このような場合には、吸収性本体と液不透過性シートとの結合部が、吸収性本体の長手方向の少なくとも両端部に形成されているとともに、吸収性本体の長手方向の中央部の両側縁は液不透過性シートと結合されておらず、且つこの両側縁から吸収性本体の幅方向中央部に向かって、吸収性本体と液不透過性シートとの間に非結合部が形成されるようにする。図面のように、吸収性本体を連続して形成すると、各吸収性本体の腹側端部と背側端部が交互に連続して配置されるために、背腹部両端部に結合部を設ける場合には、吸収性本体の吸収体が未配置部位に結合部を連続して形成することで、吸収性本体連続体を単体に切り離すことで、容易に吸収性本体の長手方向の両端部に結合部を形成することができる。
【００９５】
また、このようにして吸収性本体連続体を製造する際に、吸収性本体連続体の裏面側に、結合部を形成するための結合手段を配置する。例えば、吸収性本体連続体の裏面側に粘着剤を塗工したり、メカニカルファスナー等の機械的結合手段を配設する。吸収性本体連続体の裏面側に結合手段を配置する際には、単体に切り離した吸収性本体において、その長手方向の少なくとも両端部に相当する部位にの結合手段を配置する。なお、このような結合部を形成するための結合手段は、後述するように、外装部材を構成する不織布に配置してもよい。
【００９６】
［２−２］外装部材用立体ギャザーの製造：
シート材３２ａ（３２ｂ）の一方の端部を折り返し、その折り返し部分に、２本の立体ギャザー伸縮材３６ａ（３６ｂ）を挟み込んだ状態で貼り合わせることによって、立外装部材用体ギャザー２６ａ（２６ｂ）を得る。図１９に示す製造方法においては、シート材３２ａ（３２ｂ）として各長尺シート材を用い、各長尺シート材をローラーから連続的に送出する方法・装置を採用した例を示している。
【００９７】
［２−３］吸収性本体への立体ギャザーの付設：
図１９に示すように、吸収性本体１４の側縁、即ち、トップシート１８とバックシート２０との貼り合わせ部分を外側から包み込むように、連続した長尺状の外装部材用立体ギャザー２６ａ，２６ｂを貼り合わせる。この際、外装部材用立体ギャザー２６ａ，２６ｂは、吸収性本体１４の側縁に仮止めの状態で貼り合わせておき、外装部材１６に固定した際に、吸収性本体１４のみを取り外せるようにしておく。その後、外装部材用立体ギャザー２６ａ，２６ｂが付設された吸収性本体１４を所定の大きさに切断する。
【００９８】
［２−４］パンツ型使い捨ておむつの製造：
外装部材は、図２０に示すように、長尺状の不織布４９ａ，４９ｂを２枚用意し、このうちの１枚の不織布４９ａの表面に、ウエスト周り伸縮材４２、腹周り伸縮材４４及び脚周り伸縮材４０を配置し接着固定する。
【００９９】
なお、図２０に示す製造方法においては、２枚の長尺状の不織布４９を重ね合わせて積層し、その中心軸に沿って折り返すことにより、折り返し線を含む領域がおむつの股下部４となり、折り重ねられた不織布４９の側縁部がおむつのウエスト周り開口部１０となる。このため、伸縮材を配置する際には、ウエスト周り伸縮材４２及び腹周り伸縮材４４は、上記不織布４９ａの側縁部に配設し、脚周り伸縮材４０は、上記不織布４９ａの中心軸側の脚周り開口部１２ａ，１２ｂが形成される領域近傍に配置する。その後、それぞれの伸縮材を配置した不織布４９ａの表面に、更にもう１枚の不織布４９ｂを積層し固定する。また、上記した方法に従って、パンツ型使い捨ておむつを構成する外装部材又は吸収性本体の、少なくとも股下部の一対の脚周り開口部の間の領域に、伸縮性素材からなる伸縮材を付設してもよい。
【０１００】
また、吸収性本体連続体を製造する際に、吸収性本体に結合手段を配置していない場合には、この積層した不織布４９における股下部４に相当する領域に、吸収性本体１４を結合させるための粘着剤を塗工したり、機械的結合手段を配置したりして、結合部を形成する。本発明のパンツ型使い捨ておむつは、吸収性本体と外装部材との結合部が、吸収性本体の長手方向の少なくとも両端部に形成されているとともに、吸収性本体の長手方向の中央部の両側縁は外装部材と結合されておらず、且つこの両側縁から吸収性本体の幅方向中央部に向かって、吸収性本体と外装部材との間に非結合部が形成されているものであるため、塗布する粘着剤の位置、及びその粘着力等を調整する。
【０１０１】
次に、先に製造した立体ギャザー２６ａ，２６ｂが付設された吸収性本体１４を、不織布４９における股下部４に相当する領域に配置する。この際、吸収性本体１４は、外装部材（不織布４９）とは取り外し可能な状態に（例えば、仮止めの状態で）結合され、立体ギャザー２６ａ，２６ｂは、外装部材（不織布４９）に完全に固定される。
【０１０２】
なお、上記したように、吸収性本体のバックシート側に液不透過性シートを配置した場合には、液不透過性シートを外装部材に完全に固定する。液不透過性シートと吸収性本体とは取り外し可能な状態で結合されているため、吸収性本体と外装部材とが取り外し可能な構成とすることができる。
【０１０３】
次に、積層した不織布４９における脚周り開口部１２ａ，１２ｂが形成される領域に、略円形の孔６０を開ける。本製造方法においては、側縁部にて連結した複数のパンツ型使い捨ておむつを製造するため、上記した孔６０の半円部分が１つの脚周り開口部１２となる。
【０１０４】
次に、積層した不織布４９を、その中心軸に沿って折り返し、おむつの側縁部に相当する部位をヒートシール等の手段により接合し、接合部８を形成して、本発明のパンツ型使い捨ておむつを製造する。
【０１０５】
［３］交換用の吸収性本体：
本発明のパンツ型使い捨ておむつは、外装部材から使用済みの吸収性本体を取り外して廃棄し、この外装部材に新たな吸収性本体を装着して繰り返し使用することができる。この際に用いられる新たな吸収性本体（交換用の吸収性本体）としては、使用済みの吸収性本体を取り外した外装部材の少なくとも股下部に着脱可能な状態で結合させることができるように構成され、排泄物吸収用の吸収体と、吸収体の表面を被覆するように配置された、少なくとも一部が液透過性材料からなるトップシートと、吸収体の裏面を被覆するように配置されたバックシートとを有する吸収性本体を好適に用いることができる。
【０１０６】
この交換用の吸収性本体を構成する、吸収体、トップシート、及びバックシートは、上述した本発明のパンツ型使い捨ておむつにて説明した吸収性本体を構成する各構成要素と同様に構成されたものを好適に用いることができる。
【０１０７】
本発明のパンツ型使い捨ておむつに用いられる外装部材が、再接着が可能な粘着剤層等を有している場合には、この交換用の吸収性本体は、特別な結合手段を有していなくともよい。一方、例えば、外装部材に設けられた粘着剤層が再接着不可能なものある場合には、交換用の吸収性本体としては、外装部材の少なくとも股下部に着脱可能な状態で結合させるための結合手段を有していることが好ましい。このような結合手段としては、例えば、本発明のパンツ型使い捨ておむつにおける結合部にて説明した粘着剤層や結合部材等を好適例として挙げることができる。
【産業上の利用可能性】
【０１０８】
本発明のパンツ型使い捨ておむつは、着用者の足の動きが制限され難く、更に、吸収性本体の交換が容易であるため、乳幼児用、或いは介護を必要とする高齢者や障害者等の成人用の吸収性物品として利用することができる。
【０１０９】
特に、本発明のパンツ型使い捨ておむつは、吸収性本体のみを交換することで、それ以外の外装部材等は繰り返し使用することができるため、排泄の回数が多く、頻繁に吸収体を交換する必要がある着用者用の吸収性物品として好適に用いることができる。
【図面の簡単な説明】
【０１１０】
【図１】本発明のパンツ型使い捨ておむつの一の実施形態を示す概略斜視図であり、本発明のパンツ型使い捨ておむつをその前方から見た状態を示す図である。
【図２】本発明のパンツ型使い捨ておむつの一の実施形態を示す一部切り欠き平面図であり、図１に示すパンツ型使い捨ておむつを展開し、おむつの吸収性本体側から見た状態を示す図である。
【図３】本発明のパンツ型使い捨ておむつの実施形態を示す概略断面図であり、図２に示すパンツ型使い捨ておむつをＸ１−Ｘ１’線に沿って切断した断面の例を示す概略断面図である。
【図４】本発明のパンツ型使い捨ておむつの実施形態を示す概略断面図であり、図２に示すパンツ型使い捨ておむつをＸ２−Ｘ２’線に沿って切断した断面の例を示す概略断面図である。
【図５】図１に示すパンツ型使い捨ておむつの非結合部に手を差し入れた状態を示す概略斜視図である。
【図６】本発明のパンツ型使い捨ておむつの他の実施形態を示す概略斜視図であり、本発明のパンツ型使い捨ておむつをその前方から見た状態を示す図である。
【図７】本発明のパンツ型使い捨ておむつの他の実施形態を示す概略斜視図であり、本発明のパンツ型使い捨ておむつをその前方から見た状態を示す図である。
【図８】本発明のパンツ型使い捨ておむつの他の実施形態を展開した一部切り欠き平面図である。
【図９】図８に示すパンツ型使い捨ておむつをＸ３−Ｘ３’線に沿って切断した断面を示す概略断面図である。
【図１０】本発明のパンツ型使い捨ておむつの他の実施形態を展開した一部切り欠き平面図である。
【図１１】図１０に示すパンツ型使い捨ておむつをＸ４−Ｘ４’線に沿って切断した断面を示す概略断面図である。
【図１２】本発明のパンツ型使い捨ておむつの更に他の実施形態における概略断面図である。
【図１３】本発明のパンツ型使い捨ておむつの更に他の実施形態を展開した一部切り欠き平面図である。
【図１４】本発明のパンツ型使い捨ておむつの更に他の実施形態を展開した一部切り欠き平面図である。
【図１５】図１４に示すパンツ型使い捨ておむつをＸ５−Ｘ５’線に沿って切断した断面を示す概略断面図である。
【図１６】本発明のパンツ型使い捨ておむつの更に他の実施形態を展開した一部切り欠き平面図である。
【図１７】図１６に示すパンツ型使い捨ておむつをＸ６−Ｘ６’線に沿って切断した断面の例を示す概略断面図である。
【図１８】本発明のパンツ型使い捨ておむつの更に他の実施形態における概略断面図である。
【図１９】本発明のパンツ型使い捨ておむつの製造方法を説明する平面図であり、吸収性本体の製造工程の一例を示す図である。
【図２０】本発明のパンツ型使い捨ておむつの製造方法を説明する平面図である。
【図２１】従来のパンツ型使い捨ておむつを示す概略斜視図であり、本発明のパンツ型使い捨ておむつをその前方から見た状態を示す図である。
【符号の説明】
【０１１１】
１，１００，１１０，１２０：パンツ型使い捨ておむつ、２：前身頃、２ａ，２ｂ：側縁部、４：股下部、６：後身頃、６ａ，６ｂ：側縁部、８：接合部、１０：ウエスト周り開口部、１２，１２ａ，１２ｂ：脚周り開口部、１３：脚周り被覆部、１４：吸収性本体、１６：外装部材、１６ａ，１６ｂ，１６ｃ：不織布、１７：外装体、１８：トップシート、２０：バックシート、２２：吸収体、２３：結合部、２４：非結合部、２５：液不透過性シート、２６，２６ａ，２６ｂ：立体ギャザー、２７，２７ａ，２７ｂ：吸収性本体用立体ギャザー、２８，２８ａ，２８ｂ：第二の吸収性本体用立体ギャザー、３２，３２ａ，３２ｂ：シート、３３，３３ａ，３３ｂ：吸収性本体用立体ギャザー形成シート、３６，３６ａ，３６ｂ：吸収性本体用立体ギャザー伸縮材、３７，３７ａ，３７ｂ：立体ギャザー伸縮材、３８，３８ａ，３８ｂ，３９ａ，３９ｂ：立体ギャザー伸縮材、４０：脚周り伸縮材、４２：ウエスト周り伸縮材、４４：腹周り伸縮材、４７，４７ａ，４７ｂ：シート、４８：伸縮材、４９ａ，４９ｂ：不織布、５１：固定部、６０：孔、Ｌ１：吸収性本体の長手方向の長さ、Ｌ２：吸収性本体の一方の側縁における結合されていない部分の長さ。
【図１】
2008104503.tif 000003
【図２】
2008104503.tif 000004
【図３】
2008104503.tif 000005
【図４】
2008104503.tif 000006
【図５】
2008104503.tif 000007
【図６】
2008104503.tif 000008
【図７】
2008104503.tif 000009
【図８】
2008104503.tif 000010
【図９】
2008104503.tif 000011
【図１０】
2008104503.tif 000012
【図１１】
2008104503.tif 000013
【図１２】
2008104503.tif 000014
【図１３】
2008104503.tif 000015
【図１４】
2008104503.tif 000016
【図１５】
2008104503.tif 000017
【図１６】
2008104503.tif 000018
【図１７】
2008104503.tif 000019
【図１８】
2008104503.tif 000020
【図１９】
2008104503.tif 000021
【図２０】
2008104503.tif 000022
【図２１】
2008104503.tif 000023